(57)【要約】【課題】本発明は、とりわけ生物学の領域で、磁気ビーズと共にチューブを取り扱うのに適した装置および方法を提供する。【解決手段】本発明によるマグネティックラックシステムは、チューブを収容する貫通孔を有するホールダと、少なくとも１つの磁石を有する複数のレセプタクルを有するベースと、アダプタとを備える。貫通孔はホールダにおいて、ベースに対して、各々のチューブがぞれぞれのレセプタクルにおいて磁石（７）に対して予め定められた位置に配置されている。アダプタは、ホールダに配置されたチューブ（２）に動きを伝達することを可能とするように設計されている。【選択図】図２Ｂ
2014100704.tif 000002
【特許請求の範囲】
【請求項１】
チューブ（３）を収容する貫通孔（２）を有するホールダ（１）と、
少なくとも１つの磁石（７）を有する複数のレセプタクル（５）を有するベース（４）であって、 前記ホールダ（１）の前記貫通孔が、前記ベース（４）に対して、各々の前記チューブ（３）がそれぞれの前記レセプタクル（５）において前記磁石（７）に対して予め定められた位置に配置されたベースと、
前記ホールダ（１）に配置されたチューブ（２）に動きを伝達することを可能とするように設計されたアダプタ（８）と、
を備えることを特徴とするマグネティックラックシステム。
【請求項２】
請求項１に記載のマグネティックラックシステムにおいて、
前記ホールダでの前記貫通孔（２）は、ラインと列で配置され、前記ラインは略０．９〜３．６ｃｍの間隔を有し、
前記ベース（４）での前記レセプタクル（５）の位置は、前記ホールダ（１）での前記貫通孔（２）の位置に対応して配置されていることを特徴とするマグネティックラックシステム。
【請求項３】
請求項１または２に記載のマグネティックラックシステムにおいて、
前記ホールダ（１）は、少なくとも発泡ポリマーよりなることを特徴とするマグネティックラックシステム。
【請求項４】
請求項１乃至３のいずれか１項に記載のマグネティックラックシステムにおいて、
前記アダプタ（８）は、少なくとも発泡ポリマーよりなることを特徴とするマグネティックラックシステム。
【請求項５】
請求項１乃至４のいずれか１項に記載のマグネティックラックシステムにおいて、
前記ベース（４）は堅固なポリマーおよび／またはアルミニウムからなることを特徴とするマグネティックラックシステム。
【請求項６】
請求項１乃至５のいずれか１項に記載のマグネティックラックシステムにおいて、
前記アダプタ（８）は、前記ホールダ（１）に配置された前記チューブ（３）を収容するレセプタクル（９）を備えるプレートとして形成されていることを特徴とするマグネティックラックシステム。
【請求項７】
請求項１乃至５のいずれか１項に記載のマグネティックラックシステムの使用方法であって、
前記ホールダ（１）に配置された少なくとも１つのグループのチューブ（３）を、研究用機器のレセプタクルに挿入するステップと、
前記ホールダ（１）に配置された少なくとも１つのチューブ（３）のグループを研究用機器のレセプタクルに挿入するステップと、
少なくとも他の１つのチューブ（３）のグループを前記レセプタクルの外部に保持するステップとを有し、
前記研究用機器は振動攪拌装置であることを特徴とする使用方法。
【発明の詳細な説明】
【技術分野】
【０００１】
本発明は、マグネティックラックシステムおよびその使用方法に関する。
【背景技術】
【０００２】
このようなマグネティックラックシステムは、とりわけ、たとえば磁気ビーズ等の磁性粒子の非磁性媒体からの分離に用いられる。この媒体は、たとえば化学的および／または生物学的な物質の液体であり、たとえば血液等である。このマグネティックラックシステムは、とりわけ分子生物学のプロトコルおよび／または医療診断分野で用いられる。
【０００３】
特許文献１は、磁気的に標識化された粒子を非磁性媒体から分離するための磁
気分離装置を開示している。この磁気分離装置の本体部分には磁場を発生する励
磁部と、少なくとも１つのサンプル容器を保持するためのサンプル容器保持部と
が設けられている。
【０００４】
特許文献１に開示された装置および方法は、良好な結果を得ることができるが
、その構成は標準的な実験設備と共に用いることができない。
【０００５】
従来は、磁気ビーズプロトコルが加熱工程を必要とする場合は、全ての反応チ
ューブは別々に加熱領域または水浴槽に移動され、そして磁気分離に戻されなけ
ればならない。さらに、磁気ビーズプロトコルがビーズ混合を必要とする場合は
、全ての反応チューブが別々に振動攪拌装置／回転攪拌装置に移動され、全ラッ
クは手で振動／攪拌装置に設置しなければならない。これは混合時間を長くする
ので不便であり、実用的でない。
【０００６】
この従来のマグネティックラックの制約は、膨大な処理工程を有する不便なプ
ロトコルをもたらす。全ての反応チューブは、たとえば振動攪拌装置、水浴槽へ
の設置および磁気ビーズ分離器への戻しが個別に取り扱われねばならない。この
結果、上記のような取り扱いの短所は磁気ビーズを用いた手作業のプロトコルを
極めて不便なものとし、何年にも渡って市場では殆どあるいは全く受け入れられ
なかった。
【先行技術文献】
【特許文献】
【０００７】
【特許文献１】国際公開公報ＷＯ２００８１４５７１１Ａ２
【発明の概要】
【発明が解決しようとする課題】
【０００８】
本発明の課題は、磁気ビーズと共にチューブを取り扱うのに適した装置および
方法を提供することである。本発明は、とりわけ生物学の領域で利便性をもたら
し、少なくとも１つの上記の問題を解決することができる。
【課題を解決するための手段】
【０００９】
上記の課題は独立項に記載の発明で解決される。
【００１０】
本発明により、少なくとも２個、好ましくは１２個のチューブを保持するため
のホールダと、複数のレセプタクルを有するベースと、アダプタとを組み合わせ
ることにより、利便性の良い手作業および準自動での磁気ビーズの処理が実現さ
れる。
【００１１】
このホールダとベースは、複数のチューブを同時に取り扱うことを可能とする。このホールダは、標準的な研究用機器と共に用いられるように適合させることができ、たとえば振動攪拌装置および／または回転攪拌装置にアダプタ付き或いはアダプタ無しで用いることができる。チューブを収容するホールダの貫通孔の間隔は、好ましくは研究用機器（振動攪拌装置）で共通に用いられ、標準的なキャップ部品に適合するもので、チューブの間隔は好ましくはマルチチャンネルピペットに適合するものである。
【００１２】
本発明では、「チューブ」なる用語は、化学的液体および／または生物学的液
体の収容に適したリザーバー、ディッシュ、またはマイクロ環境を包含する。好
ましくは、このチューブは数ｍｌの液体を収容する。このチューブは、５０ｍｌ
以下の液体、さらに好ましくは１５ｍｌ以下の液体、とりわけ好ましくは２ｍｌ
以下の液体を収容する。
【００１３】
本発明では、「アダプタ」なる用語は、たとえば振動攪拌装置、回転攪拌装置
およびホールダのような研究用機器の間の機械的接続を可能とする任意の手段を
包含する。アダプタによる接続は、ホールダと研究用機器との間で直接的に形成
されるが、ホールダで保持されたチューブを介しても間接的に行われ、アダプタ
は、チューブとアダプタの間の形状接合（form closure）を行う。アダプタは、
研究用機器に取り付けられる。
【００１４】
本発明では、「研究用機器」なる用語は、チューブに収容された液体の加熱、
冷却、振動攪拌、攪拌、および／または混合を行う任意の装置を包含する。  し
たがって、「研究用機器」なる用語は、振動攪拌装置、回転攪拌装置、サーマル
サイクラー（thermocycler）、サーモミキサー（thermomixer）と、チューブの
加熱および／または冷却用の水浴槽とを包含する。
【００１５】
好ましくは、ホールダは、発泡ポリマー（たとえばＳＢＳ（スチレン−ブタジエン−スチレン））を含むか、またはこの発泡ポリマーで作製されてよい。これにより、ホールダが軽量となり、また圧縮するすることができるので、このホールダを自在な形状（許容誤差含む）で作製することができる。さらに、このホールダは、水浴槽でチューブのフローターとして使用することができる。
【００１６】
好ましくは、アダプタは、発泡ポリマー（たとえばＳＢＳ（スチレン−ブタジエン−スチレン））を含むか、またはこの発泡ポリマーで作製されてよい。これにより、アダプタが軽量となり、また圧縮するすることができるので、このアダプタを自在な形状（許容誤差含む）で作製することができる。
【００１７】
好ましくは、ベースはポリマーを含むか、またはポリマーで作製されてよい。とりわけたとえばＰＯＭ（ポリオキシメチレン）で作製されてよく、これにより分子生物学的プロトコルでのホールダの取り付けや取り外しの際の安定性を確保するための、非常に堅固で丈夫なベースの作製が可能となる。代替として、このベースはアルミニウムを含むか、またはアルミニウムで作製されてよい。
【００１８】
１つの好ましい実施形態では、このアダプタはホールダで保持されたチューブを収容するためのレセプタクルを備えたプレートとして形成されてよい。このレセプタクルは、レセプタクルとの形状接合によってホールダで保持されるように、形成されてよい。アダプタは、逆に、形状接合および／または摩擦接合（force closure）を用いて、研究用機器に取り付けられてよい。
【００１９】
高いサンプルスループットのために、２つ以上のホールダが、たとえば振動攪拌装置等の研究用機器によって同時に処理されてよい。２つ以上のホールダを１つの研究用機器で処理する場合は、１つのラインのチューブの少なくとも１つは露出されている。このように、ホールダの１つのラインのチューブのみが、この研究用機器のレセプタクルに挿入される。
【００２０】
本発明の他の目的、特徴、利点、および態様については、以下の説明と従属項から当業者にとっては明らかであろう。なお、しかしながら、以下の説明、従属項およびそれぞれの例は、本発明の好ましい実施形態として説明されていたとしても、単なる例示である。以下の記載から、様々な変更および変形が本発明の範囲であることが当業者にとっては明らかであろう。
【００２１】
本発明の実施例を、これに付随する以下の図を参照して説明する。
【図面の簡単な説明】
【００２２】
【図１】本発明によるマグネティックラックシステムのホールダを示す図である。ホールダにチューブが挿入されている。
【図２Ａ】本発明によるマグネティックラックシステムのベースを示す図である。
【図２Ｂ】図１に示したチューブを搭載したホールダを図２Ａに示すベースに取り付けた状態を示す図である。
【図３Ａ】本発明によるマグネティックラックシステムのアダプタを示す図である。
【図３Ｂ】図１に示したチューブを搭載したホールダを図３Ａに示すアダプタに取り付けた状態を示す図である。
【００２３】
図１は、本発明によるマグネティックラックシステムのホールダ１を示す。このホールダ１は、チューブ３を収容するための貫通孔２を有するプレートとして形成されている。チューブ３は、ホールダ１の貫通孔に対して予め定められたように整列されている。この貫通孔２は、２ライン６列で配設されている。１つのラインで隣接する貫通孔２は、０．９〜３．６ｃｍの間隔を有し、ラインは０．９〜３．６ｃｍの間隔を有する。
【００２４】
図２Ａおよび図２Ｂは、本発明によるマグネティックラックシステムのベース４を示す。レセプタクル５は、ホールダ１に保持されたチューブ３を収容するために設けられている。ベース４でのレセプタクル５の間隔は、ホールダ１での貫通孔２の間隔に対応している。レセプタクル５のそれぞれに、チューブ３の端部を包囲する陥凹部６が形成されている。各々のレセプタクル５には、磁石または磁石部７が露出されている。この磁石７は、チューブ３がレセプタクル５に取り付けられた時に、チューブ３に入っている磁性粒子、特に磁気ビーズと相互作用する。ホールダ１は、下向きに延在するエプロンを備えてよく、このエプロンは、ホールダ１を所定の位置に保持して揃える手段としてベース４の外周を包囲する。
【００２５】
図３Ａおよび３Ｂは、ホールダ１で保持されたチューブ３を収容するレセプタクル９を含むアダプタ８を示す。このレセプタクル９は、ホールダ１の貫通孔２の間隔に対応した間隔で配設されている。
【図１】
2014100704.tif 000003
【図２Ａ】
2014100704.tif 000004
【図２Ｂ】
2014100704.tif 000005
【図３Ａ】
2014100704.tif 000006
【図３Ｂ】
2014100704.tif 000007